(57)【特許請求の範囲】
【請求項１】
放送波を受信して番組の動画映像を生成する手段と、
生成された動画映像の記録を行う記録手段と、
前記記録手段により記録した動画映像の一又は複数の静止画像をサムネイル表示する手段と、
動画映像のＣＭ箇所を判断する手段と、
ＣＭ箇所の所定時間前又は所定時間後の静止画像をサムネイル表示するための静止画像として選択する手段とを備え、
前記選択する手段は、前記記録手段で記録を開始してから幾つ目のＣＭ箇所を選択するかユーザにより設定可能であり、
前記サムネイル表示する手段は、前記選択する手段で選択されたＣＭ箇所の所定時間前又は所定時間後の静止画像をサムネイル表示することを特徴とする放送視聴記録再生装置。
【請求項２】
放送波を受信して番組の動画映像を生成する手段と、
生成された動画映像の記録を行う記録手段と、
前記記録手段により記録した動画映像の一又は複数の静止画像をサムネイル表示する手段と、
動画映像のＣＭ箇所を判断する手段と、
ＣＭ箇所の所定時間前又は所定時間後の静止画像をサムネイル表示するための静止画像として選択する手段とを備え、
前記選択する手段は、前記記録手段で記録を開始してから幾つ目のＣＭ箇所を選択するかについて、前記記録する動画映像の番組情報に基づいて選択し、
前記サムネイル表示する手段は、前記選択する手段で選択されたＣＭ箇所の所定時間前又は所定時間後の静止画像をサムネイル表示することを特徴とする放送視聴記録再生装置。
【発明の詳細な説明】
【０００１】
【産業上の利用分野】
この発明は、テレビ視聴等が行える放送視聴記録再生装置に関する。
【０００２】
【従来の技術】
従来より、携帯型のテレビジョン受信装置が提供されており、かかる装置は内蔵の小型チューナによって地上波アナログ放送を受信し、液晶表示パネルに受信映像を映し出すようになっている。また、近年においては、ＭＰＥＧ４（Ｍｏｖｉｎｇ  Ｐｉｃｔｕｒｅ  Ｅｘｐｅｒｔｓ  Ｇｒｏｕｐ４）に基づいた符号化映像データをメモリカードに記録し、このメモリカードを携帯型視聴装置のスロットに装填することにより、外出先でも録画映像を楽しむことができるようになっている。
【０００３】
録画内容を再生するときには、どのようなコンテンツが録画されているのかを検索できるようにするのが便利であり、このため、各録画コンテンツから任意の静止画像を抽出し、これをサムネイル画像として録画コンテンツのリスト表示を行なうようにしている。
【０００４】
【発明が解決しようとする課題】
しかしながら、上記サムネイル画像とする静止画像を抽出することを利用者の手動処理にて行なうとすれば、利用者の利便性が損なわれる。一方、サムネイル画像とする静止画像の抽出を自動で行なう場合、録画コンテンツの内容を表す画像として相応しい静止画像が抽出される可能性は低いものとなる。
【０００５】
この発明は、上記の事情に鑑み、録画コンテンツのリスト表示に用いるサムネイル画像として当該コンテンツを表す適当な静止画像の抽出可能性を高めることができる放送視聴記録再生装置を提供することを目的とする。
【０００６】
【課題を解決するための手段】
この発明の放送視聴記録再生装置は、上記の課題を解決するために、放送波を受信して番組の動画映像を生成する手段と、生成された動画映像の記録を行う記録手段と、記録手段により記録した動画映像の一又は複数の静止画像をサムネイル表示する手段と、動画映像のＣＭ箇所を判断する手段と、ＣＭ箇所の所定時間前又は所定時間後の静止画像をサムネイル表示するための静止画像として選択する手段とを備え、選択する手段は、記録手段で記録を開始してから幾つ目のＣＭ箇所を選択するかユーザにより設定可能であり、サムネイル表示する手段は、選択する手段で選択されたＣＭ箇所の所定時間前又は所定時間後の静止画像をサムネイル表示することを特徴とする。
【０００７】
上記構成においては、サムネイル表示する静止画像は、動画映像のＣＭ箇所の所定時間前又は所定時間後の静止画像が選択される。動画映像のＣＭ箇所の例えば所定時間前又は所定時間後では、タイトル映像や主要タレントのアップ映像等が出現する可能性が高く、録画コンテンツのサムネイル表示に用いるサムネイル画像として当該コンテンツ
を表す適当な静止画像の選択可能性が高められることになる。
【０００８】
また、この発明の放送視聴記録再生装置は、放送波を受信して番組の動画映像を生成する手段と、生成された動画映像の記録を行う記録手段と、記録手段により記録した動画映像の一又は複数の静止画像をサムネイル表示する手段と、動画映像のＣＭ箇所を判断する手段と、ＣＭ箇所の所定時間前又は所定時間後の静止画像をサムネイル表示するための静止画像として選択する手段とを備え、選択する手段は、記録手段で記録を開始してから幾つ目のＣＭ箇所を選択するかについて、記録する動画映像の番組情報に基づいて選択し、サムネイル表示する手段は、選択する手段で選択されたＣＭ箇所の所定時間前又は所定時間後の静止画像をサムネイル表示することを特徴とする放送視聴記録再生装置。
ことを特徴とする。
【０００９】
【発明の実施の形態】
以下、この発明の実施形態を図１乃至図４に基づいて説明する。
【００１０】
図１及び図２は、携帯型視聴装置２と据置型周辺装置１とから成る放送視聴システムを示している。このシステムでは、据置型周辺装置１がアナログ放送を受信し、この受信した放送をエンコードして得た符号化映像・音声データをスロット１０１に差し込まれたメモリカード３（例えばコンパクトフラッシュカード（商標）やマルチメディアカード（商標）等）に格納する。据置型周辺装置１の本体部１ａにおける手前側には、収容凹部１ｃが形成されており、この収容凹部１ｃに携帯型視聴装置２を差し込んで装着することができる。この装着状態で携帯型視聴装置２は据置型周辺装置１から充電を受けるようになっている。
【００１１】
携帯型視聴装置２は、略方形状で偏平な形状を有しており、電池駆動される構成となっている。携帯型視聴装置２は、地上波ディジタル放送用チューナーによって地上波ディジタル放送を受信する。また、スロット２０１に差し込まれたメモリカード３（図１，２ではＰＨＳカードが装填された状態を示している）から符号化映像・音声データを読み出し、映像を液晶表示パネル２０２上に映し出すとともに、音声をイヤホンから出力する。液晶表示パネル２０２上にはタッチパネル２１１が貼られており、タッチペン等によってパネル操作を行って所望の指示を与えることができる。なお、視聴に関する操作ボタン（プレイ／ポーズ、ストップ、送り、音量等）については、筐体部に設けている。
【００１２】
以下、これら据置型周辺装置１と携帯型視聴装置２の回路構成を、図３に基づいて詳しく説明していく。
【００１３】
まず、据置型周辺装置１について説明していく。チューナ１０２は、アナログ放送を受信し、この放送受信信号を出力する。チューナ１０２の起動指令や任意の放送を受信するための選局情報（チャンネル情報）は、Ｉ／Ｏ（インプット／アウトプット）回路１０３及びシステムバス１０４を介してＣＰＵ１１０から与えられる。ＣＰＵ１１０は、ユーザによる選局指令情報（指定チャンネル情報、指定時間情報など）を、システムバス１０４、ＰＣＭＣＩＡインターフェイス１０５、及びスロット１０１を介して前記メモリカード３から受け取る。スイッチ１０６は、前記放送受信信号を入力する入力部と外部信号を入力する入力部とを有し、いずれかの信号を選択してＡ／Ｄ変換回路１０７に供給する。
【００１４】
Ａ／Ｄ変換回路１０７は、アナログ信号をディジタル信号に変換してＭＰＥＧ４（Ｍｏｖｉｎｇ  Ｐｉｃｔｕｒｅ  Ｅｘｐｅｒｔｓ  Ｇｒｏｕｐ４）エンコーダ１０８に供給する。ＭＰＥＧ４エンコーダ１０８は、ＭＰＥＧ４に従い、例えば、映像中の背景や背景中の人物を各々オブジェクトとして個別に記述し、この任意形状の各オブジェクトを取り扱うために形状情報を付加すると共にＭＰＥＧ２と同様にＤＣＴ処理や動きベクトル処理等を行ってビデオパケットを生成し、これを連続させたビットストリームを出力する。音声についても所定の符号化を行い、この音声符号化データを上記ビットストリームに組み込む。ＳＤＲＡＭ１０９は、ＭＰＥＧ４エンコーダ１０８の上記処理において利用される。
【００１５】
ＭＰＥＧ４エンコーダ１０８が出力したビットストリーム（符号化映像・音声データ）は、システムバス１０４、ＰＣＭＣＩＡインターフェイス１０５、及びスロット１０１を介して前記メモリカード３に格納される。
【００１６】
スロット１０１及びＰＣＭＣＩＡインターフェイス１０５のセットは、二組設けられている。スロット１０１には、上記メモリカード３の他、ＰＨＳデータカード４等を装着することができる。
【００１７】
充電回路１１３は、商用電源からの交流を直流化する回路等を有して成り、図１に示すごとく携帯型視聴装置２が据置型周辺装置１に装着されたとき、図示しない充電端子部を介して携帯型視聴装置２への充電電力供給を行う。
【００１８】
ＣＰＵ１１０は、上述したチューナ１０２の動作制御やＭＰＥＧ４エンコーダ１０８の出力をメモリカード３に格納する処理（録画処理）を行う他、スロット１０１にＰＨＳデータカード４が装着された場合のデータ送受信、このデータに基づく各機能部の制御、ＦｌａｓｈＲＯＭ１１１やＤＲＡＭ１１２のリード／ライト制御なども行うようになっている。
【００１９】
そして、かかる据置型周辺装置１における放送受信番組予約録画では、番組の動画映像は前述のごとくＭＰＥＧ４エンコーダ１０８によって符号化され、メモリカード３に格納されるが、図４（ａ）に示すように、記録した動画映像の一静止画像を記録コンテンツのリスト提示用にサムネイル表示するための処理を行なうようにしている。サムネイル表示用の一静止画像としては、ＭＰＥＧ動画データ中のＩピクチャを利用することが考えられる。
【００２０】
ここで、ＭＰＥＧ動画データ中のどの時間の一画像をサムネイル表示のための画像として選択するかであるが、この実施形態では、図４（ｂ）に示すように、ＣＭ（コマーシャル）が終了し、本編に入って１秒後の画像をサムネイル画像として選択するようにしている。この場合、アナログ放送受信の段階で放送中のＣＭを判断する処理を行なっている。この処理は、ＶＴＲで用いられているいわゆるＣＭカットの技術であり、ＣＭの大部分がステレオ放送であることに着目してモノラル或いは音声多重放送部分とＣＭ部分とを区別するものである。なお、ＣＭ時には音声レベルが変化する（一般にはレベルが上がる）ことに着目してＣＭ箇所を判断することも可能である。
【００２１】
ＣＰＵ１１０は、予約録画時、受信番組をＭＰＥＧ４エンコードしたＭＰＥＧ動画データをメモリカード３に記録させる処理を行なっているが、ＣＭが終了して１秒後のタイミングで最初に得られるＩピクチャをサムネイル画像とすべく、例えば、当該Ｉピクチャの格納アドレス情報をメモリカード３に記録させる。また、記録コンテンツの提示用の情報エリアをメモリカード３に設けているのであれば、このエリアに前記格納アドレス情報を書き込む。また、前記Ｉピクチャのデータそのものを前記エリアに記録してもよい。また、前記格納アドレス情報を一旦他のメモリに保持しておき、予約録画終了後に格納アドレス情報から前記Ｉピクチャを読み出し、例えばＪＰＥＧ化などの圧縮処理をしてメモリカード３に格納することとしてもよい。
【００２２】
上記の例では、ＣＭが終了して１秒後の画像をサムネイル画像として選択することとしたが、ＣＭの開始１秒前の画像をサムネイル画像として選択するようにしてもよい。ＣＭの開始１秒前の画像については、既にメモリカード３に格納されているので、開始１秒前の画像の格納アドレスを割り出し、予約録画終了後に格納アドレス情報から前記Ｉピクチャを読み出し、例えばＪＰＥＧ化などの圧縮処理をしてメモリカード３に格納することが考えられる。前記１秒に限定するものではなく、５秒或いは１０秒といった設定とすることができ、また、ＣＭ終了直後の画像或いはＣＭ開始直前の画像をサムネイル画像として選択するようにしてもよい。
【００２３】
また、前記録画予約の処理を開始してから幾つ目のＣＭ箇所を対象として前記サムネイル表示する画像を自動抽出するのかをユーザにより設定できるように構成することもできる。例えば、ニュース番組であれば、通常は番組開始時にタイトル映像やオープニングの映像が表示されるので、第１回目のＣＭの後の画像をサムネイル画像とするのが適当と思われるが、映画番組では解説者の説明が入ることがあり、第１回目のＣＭよりも第２回目のＣＭの後の画像をサムネイル画像とするのが適当と思われる場合がある。なお、この実施形態では、ＣＰＵ１１０は、ユーザによる選局指令情報（指定チャンネル情報、指定時間情報など）を、システムバス１０４、ＰＣＭＣＩＡインターフェイス１０５、及びスロット１０１を介してメモリカード３から受け取ることとしており、前記メモリカード３に選局指令情報を与えるときに、第何番目のＣＭを対象とするかの情報も与えて記憶させておけばよい。
【００２４】
次に、携帯型視聴装置２を説明していく。メモリカード３に格納されているＭＰＥＧ４ビットストリームデータは、ＰＣＭＣＩＡインターフェイス２２０、及びシステムバス２１３を経てＭＰＥＧ４デコーダ２０４に供給される。また、地上波ディジタル放送を受信するチューナ２３０は、この地上波ディジタル放送で放送されるＭＰＥＧ４のビットストリームデータを取り出し、ＭＰＥＧ４デコーダ２０４に与えたり、メモリカード３に記録すべくシステムバス２１３に供給したりする。ＭＰＥＧ４デコーダ２０４は、前記ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２に表示する処理も行う。オーディオデコーダ２０６は、ビットストリーム中の音声符号データをＭＰＥＧ４デコーダ２０４から受け取り、復号して音声データを生成する。ＳＤＲＡＭ２１０は、ＭＰＥＧ４デコーダ２０４の上記処理において利用される。
【００２５】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００２６】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００２７】
本体キー２１４は先述した視聴に関する操作ボタン（プレイ／ポーズ、ストップ、送り）に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００２８】
また、無線ネットワークを可能にするために、通信ブロック２１６及びインターフェイス（例えば、Bluetooth など）２１７が設けられている。更に、ＦｌａｓｈＲＯＭ２１８やＳＤＲＡＭ２１９も備える。電池２２１は二次電池であり、据置型周辺装置１から電力の供給を得てこれを蓄えるようになっている。携帯電話部２３１は、通常の電話のために用いることとしている。
【００２９】
ＣＰＵ２０９は、無線ネットワークのための処理、スロット２０１にＰＨＳデータカード４が装着された場合のデータ送受信、受信データに基づく各機能部の制御、ＦｌａｓｈＲＯＭ２１８やＳＤＲＡＭ２１９のリード／ライト制御なども行うようになっている。更に、ユーザがタッチパネル２１１等を用いて受信番組指定（チャンネル及び時刻指定）を行ったときには、その情報をメモリカード３に格納する処理を行うようになっている。
【００３０】
液晶表示パネル２０２上には、メニュー画面として、「ＴＶを視聴する」「ＴＶを録画する」「録画予約を行う」「再生する」「情報端末とする」「番組情報を取得する」といった項目を表示できる。
【００３１】
そして、かかる携帯型視聴装置２におけるディジタル放送受信番組予約録画では、受信番組の動画映像はメモリカード３に記録されるが、記録した動画映像の一静止画像を記録コンテンツのリスト提示用にサムネイル表示するための処理を行なうようにしている。このサムネイル表示の一画像としては、ＭＰＥＧ動画データ中のＩピクチャを利用することが考えられる。
【００３２】
ここで、ＭＰＥＧ動画データ中のどの時間の一画像をサムネイル表示のための画像として選択するかであるが、この実施形態では、前述した据置型周辺装置１と同様、ＣＭ（コマーシャル）が終了して１秒後の画像をサムネイル画像として選択するようにしている。ディジタル放送の場合、番組本来の部分とＣＭ部分とで区別される信号が得られるようにしておけば、ＣＭ箇所の判断が可能となる。また、ＣＭ時には音声レベルが変化することに着目してＣＭ箇所を判断することも可能である。ＣＰＵ１１０は、予約録画時、受信番組に基づくＭＰＥＧ動画データをメモリカード３に記録させる処理を行なっているが、例えば、ＣＭが終了して１秒後のタイミングで最初に得られるＩピクチャをサムネイル画像とすべく、当該Ｉピクチャの格納アドレス情報をメモリカード３に記録させる。記録コンテンツの提示用の情報エリアをメモリカード３に設けているのであれば、このエリアに前記格納アドレス情報を書き込む。また、前記Ｉピクチャのデータそのものを前記エリアに記録してもよい。また、前記格納アドレス情報を一旦他のメモリに保持しておき、予約録画終了後に格納アドレス情報から前記Ｉピクチャを読み出し、例えばＪＰＥＧ化などの圧縮処理をしてメモリカード３に格納してもよい。
【００３３】
また、前記録画予約の処理を開始してから幾つ目のＣＭ箇所を対象として前記サムネイル表示する画像を自動抽出するのかをユーザにより設定できるように構成することもできる。更に、ディジタル放送では、放送波から取得した番組情報によるＥＰＧ画面を表示して番組を指定することができるが、上記番組情報中のジャンル情報を取り出し、このジャンル情報に基づいて第１回目のＣＭを対象とするか第２回目のＣＭを対象とするかを自動選択することができる。例えば、ニュース番組であれば、第１回目のＣＭを対象とし、映画番組では第２回目のＣＭを対象とすることが考えられる。また、番組情報中の番組継続時間が例えば５分というように短い場合には、第１回目のＣＭを対象とすることが考えられる。
【００３４】
【発明の効果】
以上説明したように、この発明によれば、録画コンテンツのリスト表示に用いるサムネイル画像として当該コンテンツを表す適当な静止画像の抽出可能性が高められるという効果を奏する。
【図面の簡単な説明】
【図１】この発明の実施形態の携帯型視聴装置及びその周辺装置の装着状態を示した外観斜視図である。
【図２】携帯型視聴装置の外観斜視図である。
【図３】携帯型視聴装置及びその周辺装置の構成を示したブロック図である。
【図４】同図（ａ）は録画コンテンツを表すサムネイル画像例を示した説明図であり、同図（ｂ）は本編とＣＭ部分の関係を示した説明図である。
【符号の説明】
１        据置型周辺装置
１０２    チューナ
１０８    ＭＰＥＧ４エンコーダ
１１３    充電回路
２        携帯型視聴装置
２０２    液晶表示パネル
２０４    ＭＰＥＧ４デコーダ
３        メモリカード
４        ＰＨＳデータカード
【図１】
0004100939.tif 000002
【図２】
0004100939.tif 000003
【図３】
0004100939.tif 000004
【図４】
0004100939.tif 000005